(57)【特許請求の範囲】
【請求項１】
スロットの間にネットワークノード（１０６）と無線通信を行うための、ユーザ機器（ＵＥ）（１０２Ａ）によって実施される方法であって、
前記ネットワークノード（１０６）と通信している前記ＵＥ（１０２Ａ）または別のＵＥ（１０２Ｂ）が、前記スロット内で前記ＵＥ（１０２Ａ）または前記他のＵＥ（１０２Ｂ）によって受信されたダウンリンク信号に対して、前記スロット内で確認応答（ＡＣＫ）または否定確認応答（ＮＡＣＫ）フィードバックを送信することになるということを、前記スロットに対応する制御情報に基づいて判断すること（３０２）と、
前記ダウンリンク信号が完全に受信された後、かつ、前記ＡＣＫまたはＮＡＣＫフィードバックの送信が始まる前に、前記ネットワークノード（１０６）から中間ダウンリンク信号を受信することと
を含み、
前記中間ダウンリンク信号を受信することが、連続的なダウンリンク信号の一部を受信することを含み、前記ダウンリンク信号が完全に受信される前に前記連続的なダウンリンク信号の受信が始まる、方法。
【請求項２】
前記制御情報が、前記ＵＥ（１０２Ａ）もしくは前記他のＵＥ（１０２Ｂ）が前記スロット内でＡＣＫもしくはＮＡＣＫフィードバックを送信することになるかどうか、および／またはアップリンク送信の機会が前記スロット内にあるかどうかについての指示を含む、請求項１に記載の方法。
【請求項３】
前記制御情報が、前記中間ダウンリンク信号の受信が終わることになる時間もしくはシンボルを示す情報を含む、請求項１または２に記載の方法。
【請求項４】
前記スロット内で前記ＵＥ（１０２Ａ）によって、および前記他のＵＥ（１０２Ｂ）によって受信された様々なダウンリンク信号が、長さに差がある、請求項１から３のいずれか一項に記載の方法。
【請求項５】
前記ダウンリンク信号が完全に受信された後、かつ前記ＡＣＫまたはＮＡＣＫフィードバックの送信が始まる前の時間期間が、前記ＵＥ（１０２Ａ）または前記他のＵＥにおいて前記ＡＣＫまたはＮＡＣＫフィードバックを生成するための処理時間を含む、請求項１から４のいずれか一項に記載の方法。
【請求項６】
前記制御情報が、専用の制御シグナリングを介して、または既存の制御シグナリング上に便乗した追加情報を介して前記ネットワークノード（１０６）から受信される、請求項１から５のいずれか一項に記載の方法。
【請求項７】
スロットの間にネットワークノード（１０６）と通信しているユーザ機器（ＵＥ）（１０２Ａ）であって、
前記ＵＥ（１０２Ａ）は、プロセッサおよびメモリを備え、
前記メモリは、前記プロセッサによって実行可能な命令を含んでおり、それによって前記ＵＥ（１０２Ａ）が、
前記ネットワークノード（１０６）と通信している前記ＵＥ（１０２Ａ）または別のＵＥ（１０２Ｂ）が、前記スロット内で前記ＵＥ（１０２Ａ）または前記他のＵＥ（１０２Ｂ）によって受信されたダウンリンク信号に対して、前記スロット内で確認応答（ＡＣＫ）または否定確認応答（ＮＡＣＫ）フィードバックを送信することになるということを、前記スロットに対応する制御情報に基づいて判断することと、
前記ダウンリンク信号が完全に受信された後、かつ、前記ＡＣＫまたはＮＡＣＫフィードバックの送信が始まる前に、前記ネットワークノード（１０６）から中間ダウンリンク信号を受信することと
を行うように設定され、
前記ＵＥ（１０２Ａ）が前記中間ダウンリンク信号を受信することが、前記ＵＥ（１０２Ａ）が連続的なダウンリンク信号の一部を受信することを含み、前記ダウンリンク信号が完全に受信される前に前記連続的なダウンリンク信号の受信が始まる、ＵＥ（１０２Ａ）。
【請求項８】
前記制御情報が、前記ＵＥ（１０２Ａ）もしくは前記他のＵＥ（１０２Ｂ）が前記スロット内でＡＣＫもしくはＮＡＣＫフィードバックを送信することになるかどうか、および／またはアップリンク送信の機会が前記スロット内にあるかどうかについての指示を含む、請求項７に記載のＵＥ（１０２Ａ）。
【請求項９】
前記制御情報が、前記中間ダウンリンク信号の受信が終わることになる時間もしくはシンボルを示す情報を含む、請求項７または８に記載のＵＥ（１０２Ａ）。
【請求項１０】
前記スロット内で前記ＵＥ（１０２Ａ）によって、および前記他のＵＥ（１０２Ｂ）によって受信された様々なダウンリンク信号が、長さに差がある、請求項７から９のいずれか一項に記載のＵＥ（１０２Ａ）。
【請求項１１】
前記ダウンリンク信号が完全に受信された後、および前記ＡＣＫまたはＮＡＣＫフィードバックの送信が始まる前の時間期間が、前記ＵＥ（１０２Ａ）または前記他のＵＥにおいて前記ＡＣＫまたはＮＡＣＫフィードバックを生成するための処理時間を含む、請求項７から１０のいずれか一項に記載のＵＥ（１０２Ａ）。
【請求項１２】
前記制御情報が、専用の制御シグナリングを介して、または既存の制御シグナリング上に便乗した追加情報を介して前記ネットワークノード（１０６）から受信される、請求項７から１１のいずれか一項に記載のＵＥ（１０２Ａ）。
【請求項１３】
スロットの間にネットワークノード（１０６）と通信しているユーザ機器（ＵＥ）（１０２Ａ）であって、
前記ネットワークノード（１０６）と通信している前記ＵＥ（１０２Ａ）または別のＵＥ（１０２Ｂ）が、前記スロット内で前記ＵＥ（１０２Ａ）または前記他のＵＥ（１０２Ｂ）によって受信されたダウンリンク信号に対して、前記スロット内で確認応答（ＡＣＫ）または否定確認応答（ＮＡＣＫ）フィードバックを送信することになるということを、前記スロットに対応する制御情報に基づいて判断するための第１のモジュールと、
前記ダウンリンク信号が完全に受信された後、かつ、前記ＡＣＫまたはＮＡＣＫフィードバックの送信が始まる前に、前記ネットワークノード（１０６）から中間ダウンリンク信号を受信するための第２のモジュールと
を備え、
前記中間ダウンリンク信号を前記受信することが、連続的なダウンリンク信号の一部を受信することを含み、前記ダウンリンク信号が完全に受信される前に前記連続的なダウンリンク信号の受信が始まる、ＵＥ（１０２Ａ）。
【請求項１４】
ＵＥ（１０２Ａ）の少なくとも１つのプロセッサによって実行されると、
ネットワークノード（１０６）と通信している前記ＵＥ（１０２Ａ）または別のＵＥ（１０２Ｂ）が、スロット内で前記ＵＥ（１０２Ａ）または前記他のＵＥ（１０２Ｂ）によって受信されたダウンリンク信号に対して、前記スロット内で確認応答（ＡＣＫ）または否定確認応答（ＮＡＣＫ）フィードバックを送信することになるということを、前記スロットに対応する制御情報に基づいて判断することと、
前記ダウンリンク信号が完全に受信された後、かつ、前記ＡＣＫまたはＮＡＣＫフィードバックの送信が始まる前に、前記ネットワークノード（１０６）から中間ダウンリンク信号を受信することと
を前記ＵＥ（１０２Ａ）に行わせる命令を備え、
前記中間ダウンリンク信号を前記受信することが、連続的なダウンリンク信号の一部を受信することを含み、前記ダウンリンク信号が完全に受信される前に前記連続的なダウンリンク信号の受信が始まる、コンピュータプログラム。
【請求項１５】
スロットの間にユーザ機器（ＵＥ）（１０２Ａ）および別のＵＥ（１０２Ｂ）と無線通信を行うための、ネットワークノード（１０６）によって実施される方法であって、
前記スロットに対応する制御情報を生成すること（４０２）であって、前記制御情報が、前記ＵＥ（１０２Ａ）または前記他のＵＥ（１０２Ｂ）が、前記スロット内で前記ＵＥ（１０２Ａ）または前記他のＵＥ（１０２Ｂ）によって受信されたダウンリンク信号に対して、前記スロット内で確認応答（ＡＣＫ）または否定確認応答（ＮＡＣＫ）フィードバックを送信することになるということを示す、制御情報を生成すること（４０２）と、
前記ＵＥ（１０２Ａ）および前記他のＵＥに前記制御情報を送信すること（４０４）と、
前記ダウンリンク信号が完全に受信された後、かつ、前記ＡＣＫまたはＮＡＣＫフィードバックの送信が始まる前に、前記スロットの間に、前記ＵＥ（１０２Ａ）および／または前記他のＵＥ（１０２Ｂ）に中間ダウンリンク信号を送信すること（４０６）と
を含み、
前記中間ダウンリンク信号を前記送信すること（４０６）が、連続的なダウンリンク信号の一部を送信することを含み、前記ダウンリンク信号が完全に受信される前に前記ＵＥ（１０２Ａ）または前記他のＵＥ（１０２Ｂ）による前記連続的なダウンリンク信号の受信が始まる、方法（１０６）。
【請求項１６】
前記制御情報が、前記ＵＥ（１０２Ａ）もしくは前記他のＵＥ（１０２Ｂ）が前記スロット内でＡＣＫもしくはＮＡＣＫフィードバックを送信することになるかどうか、および／またはアップリンク送信の機会が前記スロット内にあるかどうかについての指示を含む、請求項１５に記載の方法。
【請求項１７】
前記制御情報が、前記中間ダウンリンク信号の受信が終わることになる時間もしくはシンボルを示す情報を含む、請求項１５または１６に記載の方法。
【請求項１８】
前記スロット内で前記ＵＥ（１０２Ａ）によって、および前記他のＵＥ（１０２Ｂ）によって受信された様々なダウンリンク信号が、長さに差がある、請求項１５から１７のいずれか一項に記載の方法。
【請求項１９】
前記ＵＥ（１０２Ａ）または前記他のＵＥ（１０２Ｂ）によって前記ダウンリンク信号が完全に受信された後、かつ、前記ＡＣＫまたはＮＡＣＫフィードバックの送信が始まる前の時間期間が、前記ＵＥ（１０２Ａ）または前記他のＵＥ（１０２Ｂ）において前記ＡＣＫまたはＮＡＣＫフィードバックを生成するための処理時間を含む、請求項１５から１８のいずれか一項に記載の方法。
【請求項２０】
前記制御情報が、専用の制御シグナリングを介して、または既存の制御シグナリング上に便乗した追加情報を介して前記ネットワークノード（１０６）によって送信される、請求項１５から１９のいずれか一項に記載の方法。
【請求項２１】
スロットの間にユーザ機器（ＵＥ）（１０２Ａ）および別のＵＥ（１０２Ｂ）と無線通信を行うためのネットワークノード（１０６）であって、
前記ネットワークノード（１０６）は、プロセッサおよびメモリを備え、
前記メモリは、前記プロセッサによって実行可能な命令を含んでおり、それによって前記ネットワークノード（１０６）が、
前記スロットに対応する制御情報を生成することであって、前記制御情報が、前記ＵＥ（１０２Ａ）または前記他のＵＥ（１０２Ｂ）が、前記スロット内で前記ＵＥ（１０２Ａ）または前記他のＵＥ（１０２Ｂ）によって受信されたダウンリンク信号に対して、前記スロット内で確認応答（ＡＣＫ）または否定確認応答（ＮＡＣＫ）フィードバックを送信することになるということを示す、制御情報を生成することと、
前記ＵＥ（１０２Ａ）および前記他のＵＥに前記制御情報を送信することと、
前記ダウンリンク信号が完全に受信された後、かつ、前記ＡＣＫまたはＮＡＣＫフィードバックの送信が始まる前に、前記スロットの間に、前記ＵＥ（１０２Ａ）および／もしくは前記他のＵＥ（１０２Ｂ）に中間ダウンリンク信号を送信することと
を行うように設定され、
前記ネットワークノード（１０６）が前記中間ダウンリンク信号を前記送信すること（４０６）が、前記ネットワークノード（１０６）が連続的なダウンリンク信号の一部を送信することを含み、前記ダウンリンク信号が完全に受信される前に前記ＵＥ（１０２Ａ）または前記他のＵＥ（１０２Ｂ）による前記連続的なダウンリンク信号の受信が始まる、ネットワークノード（１０６）。
【請求項２２】
前記制御情報が、前記ＵＥ（１０２Ａ）もしくは前記他のＵＥ（１０２Ｂ）が前記スロット内でＡＣＫもしくはＮＡＣＫフィードバックを送信することになるかどうか、および／またはアップリンク送信の機会が前記スロット内にあるかどうかについての指示を含む、請求項２１に記載のネットワークノード（１０６）。
【請求項２３】
前記制御情報が、前記中間ダウンリンク信号の受信が終わることになる時間もしくはシンボルを示す情報を含む、請求項２１または２２に記載のネットワークノード（１０６）。
【請求項２４】
前記スロット内で前記ＵＥ（１０２Ａ）によって、および前記他のＵＥ（１０２Ｂ）によって受信された様々なダウンリンク信号が、長さに差がある、請求項２１から２３のいずれか一項に記載のネットワークノード（１０６）。
【請求項２５】
前記ＵＥ（１０２Ａ）または前記他のＵＥ（１０２Ｂ）によって前記ダウンリンク信号が完全に受信された後、かつ、前記ＡＣＫまたはＮＡＣＫフィードバックの送信が始まる前の時間期間が、前記ＵＥ（１０２Ａ）または前記他のＵＥ（１０２Ｂ）において前記ＡＣＫまたはＮＡＣＫフィードバックを生成するための処理時間を含む、請求項２１から２４のいずれか一項に記載のネットワークノード（１０６）。
【請求項２６】
前記制御情報が、専用の制御シグナリングを介して、または既存の制御シグナリング上に便乗した追加情報を介して前記ネットワークノード（１０６）によって送信される、請求項２１から２５のいずれか一項に記載のネットワークノード（１０６）。
【請求項２７】
スロットの間にユーザ機器（ＵＥ）（１０２Ａ）および別のＵＥ（１０２Ｂ）と無線通信を行うためのネットワークノード（１０６）であって、
前記スロットに対応する制御情報を生成するための第１のモジュールであって、前記制御情報が、前記ＵＥ（１０２Ａ）または前記他のＵＥ（１０２Ｂ）が、前記スロット内で前記ＵＥ（１０２Ａ）または前記他のＵＥ（１０２Ｂ）によって受信されたダウンリンク信号に対して、前記スロット内で確認応答（ＡＣＫ）または否定確認応答（ＮＡＣＫ）フィードバックを送信することになるということを示す、第１のモジュールと、
前記ダウンリンク信号が完全に受信された後、かつ、前記ＡＣＫまたはＮＡＣＫフィードバックの送信が始まる前に、前記ＵＥ（１０２Ａ）および前記他のＵＥ（１０２Ｂ）に前記制御情報を送信するため、ならびに前記スロットの間に、前記ＵＥ（１０２Ａ）および／もしくは前記他のＵＥ（１０２Ｂ）に中間ダウンリンク信号を送信するための第２のモジュールと
を備え、
前記中間ダウンリンク信号を前記送信することが、連続的なダウンリンク信号の一部を送信することを含み、前記ダウンリンク信号が完全に受信される前に前記ＵＥ（１０２Ａ）または前記他のＵＥ（１０２Ｂ）による前記連続的なダウンリンク信号の受信が始まる、ネットワークノード（１０６）。
【請求項２８】
ネットワークノード（１０６）の少なくとも１つのプロセッサによって実行されると、
前記スロットに対応する制御情報を生成することであって、前記制御情報が、ＵＥ（１０２Ａ）または前記他のＵＥ（１０２Ｂ）が、前記スロット内で前記ＵＥ（１０２Ａ）または前記他のＵＥ（１０２Ｂ）によって受信されたダウンリンク信号に対して、前記スロット内で確認応答（ＡＣＫ）または否定確認応答（ＮＡＣＫ）フィードバックを送信することになるということを示す、制御情報を生成することと、
前記ＵＥ（１０２Ａ）および前記他のＵＥに前記制御情報を送信することと、
前記ダウンリンク信号が完全に受信された後、かつ、前記ＡＣＫまたはＮＡＣＫフィードバックの送信が始まる前に、前記スロットの間に、前記ＵＥ（１０２Ａ）および／もしくは前記他のＵＥ（１０２Ｂ）に中間ダウンリンク信号を送信することと
をネットワークノード（１０６）に行わせる命令を備え、
前記中間ダウンリンク信号を前記送信することが、連続的なダウンリンク信号の一部を送信することを含み、前記ダウンリンク信号が完全に受信される前に前記ＵＥ（１０２Ａ）または前記他のＵＥ（１０２Ｂ）による前記連続的なダウンリンク信号の受信が始まる、コンピュータプログラム。
【発明の詳細な説明】
【技術分野】
【０００１】
優先権出願
本出願は、その全体が参照により組み込まれる、「Ｒｅｃｅｉｖｅｒ−Ｓｐｅｃｉｆｉｃ  Ｔｒａｎｓｍｉｓｓｉｏｎ  Ｌｅｎｇｔｈ」という名称の、２０１６年１０月２８日に出願された米国仮特許出願第６２／４１４，６３６号の優先権を主張する。
【０００２】
本開示は一般に、無線通信システムに関し、詳細には、無線通信システム内の無線信号の送信のタイミングに関する。
【背景技術】
【０００３】
現在の無線通信システムにおいて、ネットワークノード（例えば、基地局、ノードＢ、ｅＮＢなど）から受信した信号を処理した後、ユーザ機器（ＵＥ：ｕｓｅｒ  ｅｑｕｉｐｍｅｎｔ）は、受信信号が成功裏に受信されたかどうかを示すフィードバックとして、確認応答（ＡＣＫ）または否定確認応答（ＮＡＣＫ）を生成して、ネットワークノードに送信することができる。これらのシステムのうちのいくつかにおいて、ＵＥは、ダウンリンク信号が受信された同じスロット内でＡＣＫ／ＮＡＣＫ（「ＡＮ」または「Ａ／Ｎ」）信号を生成して、送信することができる。この同じスロットのＡＣＫ／ＮＡＣＫ信号の送信が発生するために、ＵＥがＡＣＫ／ＮＡＣＫ信号を生成するのに必要な処理時間は、典型的には、ダウンリンク信号がネットワークノードによって送信され、ＵＥによって受信されたシンボルに続くスロット内に残る時間（例えば、実際のアップリンクＡＣＫ／ＮＡＣＫ送信に必要な時間といったマイナス残差時間）より短くなければならない。
【０００４】
この処理時間は、典型的には、（例えば、７つのＯＦＤＭシンボルを含んでいる）スロット内の直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｅｄ）シンボルより長いので、この必須の処理が完了した後にＡＣＫ／ＮＡＣＫ信号を送信するために、（例えば、一定の時間期間にわたるＵＥネットワークノード通信に利用される１つまたは複数のキャリアといった）メディアへの一時的なオンデマンドアクセスを、ネットワークノードと通信しているＵＥに与えるための、アップリンク／ダウンリンクフレーム構造における複数のＯＦＤＭシンボルの控えめなギャップが、いくつかの実装形態において作り出される。ＡＣＫ／ＮＡＣＫ信号処理時間が比較的長い（例えば、２つのＯＦＤＭシンボルより大きい）事例では、システムのＵＥおよびネットワークノードがＡＣＫ／ＮＡＣＫ処理の解決を待っているときに、メディアが効果的に使用されていないことの結果として、かなりのシステム性能機会コストが生じる可能性がある。
【０００５】
したがって、アップリンク制御信号の送信のための、改良されたアップリンク制御フレーム構造および関連技法が、既存のシステムのこれらに対する性能および資源利用を最適化するために必要とされる。
【発明の概要】
【０００６】
本明細書の１つまたは複数の実施形態は、無線環境における信号通信のために、様々な潜在的なスケジューリング技法、フレーム構造、および制御情報通信方法を用いる。具体的には、ネットワークおよび１つまたは複数のＵＥは、特定のＵＥにおけるＡＣＫ／ＮＡＣＫ処理に並行して、１つまたは複数の合間のシンボルの間、無線で通信することができる。ＡＣＫ／ＮＡＣＫ関連処理中のアップリンクおよび／またはダウンリンク通信を可能にするフレーム構造を実装することによって、チャネル利用および通信性能は、リンク／チャネルレベルで、また、それに対応して、アグリゲートされるとシステムレベルで向上させることが可能である。
【０００７】
具体的には、下記で提示される実施形態は、スロットの間にＵＥおよび別のＵＥと無線通信を行うための、ネットワークノードによって実施される方法の例を含む。方法の例は、スロットに対応する制御情報を生成することを含むことができ、制御情報は、ＵＥまたは他のＵＥが、スロット内でＵＥまたは他のＵＥによって受信されたダウンリンク信号に対して、スロット内でＡＣＫまたはＮＡＣＫフィードバックを送信することになるということを示す。方法は、ＵＥおよび他のＵＥに制御情報を送信することと、ダウンリンク信号が完全に受信された後、かつ、ＡＣＫまたはＮＡＣＫフィードバックの送信が始まる前に、スロットの間に、ＵＥおよび／もしくは他のＵＥに中間ダウンリンク信号を送信すること、またはＵＥおよび／もしくは他のＵＥから中間アップリンク信号を受信することとを含むことができる。
【０００８】
本開示は、スロットの間にネットワークノードと無線通信を行うための、ＵＥによって実施される方法の例も提示する。方法は、ネットワークノードと通信しているＵＥまたは別のＵＥが、スロット内でＵＥまたは他のＵＥによって受信されたダウンリンク信号に対して、スロット内でＡＣＫまたはＮＡＣＫフィードバックを送信することになるということを、スロットに対応する制御情報に基づいて判断することを含むことができる。方法は、ダウンリンク信号が完全に受信された後、かつ、ＡＣＫまたはＮＡＣＫフィードバックの送信が始まる前に、ネットワークノードに中間アップリンク信号を送信すること、またはネットワークノードから中間ダウンリンク信号を受信することをさらに含むことができる。
【０００９】
本明細書の実施形態は、これらの方法に対応する装置（例えば、ＵＥ、ネットワークノード、モジュール、コンポーネント、ユニットなど）、コンピュータプログラム、および担体（例えば、コンピュータプログラム製品）も含む。
【図面の簡単な説明】
【００１０】
【図１】１つまたは複数の実施形態による、無線通信システムのブロック図である。
【図２】１つまたは複数の実施形態における、制御情報の例を示すテーブルである。
【図３】１つまたは複数の実施形態による、ＵＥによって実施される方法を示す論理流れ図である。
【図４】１つまたは複数の実施形態による、ネットワークノードによって実施される方法を示す論理流れ図である。
【図５】１つまたは複数の実施形態による、フレーム構造の例を示す図である。
【図６】１つまたは複数の実施形態による、フレーム構造の例を示す図である。
【図７】１つまたは複数の実施形態による、フレーム構造の例を示す図である。
【図８】１つまたは複数の実施形態による、フレーム構造の例を示す図である。
【図９Ａ】１つまたは複数の実施形態による、ＵＥのブロック図である。
【図９Ｂ】１つまたは複数の他の実施形態による、ＵＥのブロック図である。
【図１０Ａ】１つまたは複数の実施形態による、ネットワークノードのブロック図である。
【図１０Ｂ】１つまたは複数の他の実施形態による、ネットワークノードのブロック図である。
【発明を実施するための形態】
【００１１】
図１は、１つまたは複数の実施形態による、無線通信システム１０を示す。システム１０は、ネットワークノード１０６（例えば、基地局、ｅＮＢなどであるがこれらに限定されない）を含む。システム１０は、ネットワークノード１０６と通信しているＵＥ１０２Ａおよび１０２Ｂを含むＵＥ１０２（本明細書で「端末」、「ユーザ端末」、または同様のものとも呼ばれる）も含む。この通信２０は、ユーザ／アプリケーションデータ、および／またはユーザ／アプリケーションデータと関連付けられたＡＣＫ／ＮＡＣＫ（「Ａ／Ｎ」または「ＡＮ」）のアップリンクおよびダウンリンク送信に加えて、アップリンク制御シグナリングおよびダウンリンク制御シグナリング（制御情報とも呼ばれる）を含むことができる。通信２０は、１つまたは複数のコンポーネントキャリアまたはサブ帯域からそれぞれ成り立つ可能性がある１つまたは複数の通信チャネル上で発生してよい。ネットワークノード１０６は、ＵＥ１０２とネットワークノード１０６との間の通信２０のスケジューリングを行うための、回路機器および／または回路機器で実行するための命令を含むことができる。このスケジューリングは、無線通信システム１０の中でネットワークノード１０６が通信している個別のＵＥ１０２への一定の時間周波数リソースの割当て（または「グラント」）を含むことができる。これらの時間周波数リソースは、リソースエレメント、リソースブロック、または当技術分野で知られた時間周波数リソースの他の任意のユニットであってよい。通信２０の間の時間の任意の所与の測定のために、特定のＵＥ１０２に、または複数のＵＥ１０２に（すなわち、ＵＥ１０２Ａおよび／またはＵＥ１０２Ｂに）、全チャネル帯域幅またはその一部がグラントされてよい。
【００１２】
図１に示されるように、既存の規格／プロトコルを実行する既存の無線通信システムのように、通信２０は、ネットワークノード（例えばｅＮＢ）１０６およびＵＥ１０２の両方に対して、周波数（Ｙ軸）および時間（Ｘ軸）ドメインの特定の通信フレーム構造に従ってスケジューリングされる。図示のように、通信は、システム帯域幅の別々のサブ帯域上で別々のＵＥ１０２Ａおよび１０２Ｂによって行われてよい。（本明細書で「スロット構造」、「サブフレーム構造」、または「シンボル構造」とも呼ばれる）フレーム構造１２は、無線通信システム１０におけるデバイス間の通信時の統一性を保証する。例えば、通信は、規定のフレーム、サブフレーム、スロット、およびシンボルユニットに従って、アップリンクおよびダウンリンクにおいてスケジューリングされてよく、発生してよい。１つの態様では、フレーム構造１２の各フレームは、規定の数のサブフレーム（例えば１０）を含むことができ、各サブフレームは、特定の数のスロット（例えば２）を含むことができ、各スロットは、特定の数のシンボル（例えば６または７）を含むことができる。図１に示された非限定的な例では、フレーム構造１２は、（インデックスによって識別できることがあり）本明細書でＴｓｌｏｔと表された関連付けられた一様な時間を有する、複数の連続的なスロットのうちの１つを含む。
【００１３】
さらに、これらのスロットのそれぞれは、特定のインデックス値を有することもできる、シンボルと呼ばれるより短い時間ユニットに分割されてよい。しかし、ほとんどの既存のフレーム構造とは異なり、ダウンリンクシンボル（例えば、ＵＥ１０２Ａに送信されるダウンリンク信号（ＤＬ１）を含んでいるダウンリンクシンボル０〜３、およびＵＥ１０２Ｂに送信される連続的なダウンリンク信号（ＤＬ２）を含んでいるダウンリンクシンボル０〜４）は、一様な時間Ｔｓ、および関連付けられた数字を有することができるが、本開示で説明される実施形態は、少なくともいくつかのアップリンクまたはダウンリンク送信のために利用され得る、さらなるシンボルタイプを含むことができる。これらのアップリンク送信は、ＡＣＫ／ＮＡＣＫ信号、参照信号（例えば、サウンディング参照信号（ＳＲＳ：ｓｏｕｎｄｉｎｇ  ｒｅｆｅｒｅｎｃｅ  ｓｉｇｎａｌ））、チャネル品質情報（Ｅｃ／Ｉｏ、チャネル品質／状態インデックスもしくは情報（ＣＱＩ／ＣＳＩ：ｃｈａｎｎｅｌ  ｑｕａｌｉｔｙ／ｓｔａｔｅ  ｉｎｄｅｘ  ｏｒ  ｉｎｆｏｒｍａｔｉｏｎ）など）、隣接セル情報、スケジューリングリクエスト、または他の任意のアップリンク制御シグナリング、あるいは一般に当技術分野で知られたアップリンク送信などであるがこれらに限定されない、ユーザ／アプリケーションデータと制御信号の１つまたは両方を含むことができる。これらのシンボルタイプは、ダウンリンク信号受信の終わりと、（Ｔｐｒｏｃ中の、また図に「ＵＬＡＮ」と表された）このダウンリンク信号に対するＡＣＫまたはＮＡＣＫのアップリンク送信との間の１つまたは複数の中間アップリンクシンボルを含むことができる。これらの中間シンボルの間に、ＵＬおよびＤＬ通信が、ネットワークノード１０６とＵＥ１０２との間で発生することができる。いくつかの実施形態において、スロットのシンボルは、Ｔｓより小さい時間を有することができ、スロットの他のシンボルとは異なる数字を有することもできる。
【００１４】
１つの態様では、ＵＥ１０２は、ＵＥへのダウンリンク送信が、これらの個々の長さ／時間の中で異なることがある（例えば、図１に示されるように、ＤＬ２がＤＬ１より長い）とき、これらの個々のダウンリンク送信のそれぞれがいつ終わることになるかをＵＥ１０２が判断できる制御情報をネットワークノード１０６から受信することができる。図２のテーブルに示されるように、この制御情報は、アップリンク送信の機会がスロット内にあるかどうかを示すことができる。追加または代替として、制御情報は、スロットの間に受信したダウンリンクシンボルに対するＡＣＫ／ＮＡＣＫフィードバックを、受信するＵＥ１０２が生成し、送信することになるかどうかを示す情報を含むことができる。ＵＥ１０２がＡＣＫ／ＮＡＣＫフィードバックを送信することになるということを制御情報が示す場合、ネットワークは、１つまたは複数の中間スロットシンボルの中でダウンリンク信号を送信し続けることができ、および／またはＵＥ１０２は、ＡＣＫ／ＮＡＣＫアップリンク送信のために以前に確保された未使用の時間／周波数リソース上でアップリンク信号を送信することができる。これらの中間スロットの間に、また潜在的なさらなるアップリンク／ダウンリンク信号の送受信に並行して、ＵＥ１０２は、受信したダウンリンク信号を処理し、この信号の整合性を判断することができる（例えば、巡回冗長検査（ＣＲＣ：ｃｙｃｌｉｃ  ｒｅｄｕｎｄａｎｃｙ  ｃｈｅｃｋ）に合格するかどうか、シンボル数が有効であるかどうかを判断し、および／またはＡＣＫ／ＮＡＣＫが判断され、生成される他の判断を行う）。
【００１５】
制御情報は、受信したＤＬ送信がスロット内で時間内に続く時間の長さ（または、例えば、シンボルの数）を判断するためにＵＥ１０２によって利用されてよい。１つの可能性は、既存のシグナリングに便乗させた（ｐｉｇｇｙｂａｃｋ）専用のシグナリングまたは指標を使用して、受信するＵＥ１０２（および／または１つもしくは複数の他のＵＥ）にこの長さの時間を明示的にシグナリングすることである。一方、またはいくつかの明示的なシグナリングと組み合わせて、ＵＥは、ＵＥへの他のシグナリングからＤＬ送信長さを暗黙的に導出することができる。例えば、上述のように、このシグナリングは、（ａ）このスロットの終わりにＵＬの機会があるかどうか、および／または（ｂ）ＵＥ自体が、このスロットの終わりにＡＣＫ／ＮＡＣＫフィードバック（ＡＮ）をレポートすべきかどうかを示すことができる。いくつかの例において、特定のスロットが、このスロットの終わりにＵＬの機会を有するかどうかに関する情報は、スケジューリングダウンリンク制御情報（ＤＣＩ：ｄｏｗｎｌｉｎｋ  ｃｏｎｔｒｏｌ  ｉｎｆｏｒｍａｔｉｏｎ）の一部としてＵＥに伝えられてよく、またこの情報は、別の（例えば制御）チャネル上でシグナリング／ブロードキャストされてよい。さらに、いくつかの実施形態において、ＵＥがスロット内でＡＣＫ／ＮＡＣＫフィードバックをレポートすることになる情報は、対応するダウンリンク送信をスケジューリングしたＤＣＩの中でＵＥに通信されてよい。一方またはさらに、ＵＥは、このスロット内でＡＣＫ／ＮＡＣＫフィードバックを生成するために、別々の制御メッセージの中で通告されてよい。図２は、情報「このスロット内のＵＬの機会、はい／いいえ」および「このスロット内のＡＮをレポートする、はい／いいえ」に基づいて、ＵＥがＤＬ送信長さを導出する情報を示す。図２のテーブルによって示されるように、このスロット内にＵＬの機会はないが、ＵＥはこのスロット内でＡＮをレポートするべきであることを制御情報が示す場合、これは、無効の設定であり、最善のケースシナリオの中で発生するべきではない。このスロット内にＵＬの機会がない場合、ＵＥは、いずれのＡＮもレポートすべきではなく、したがってこのＤＬ送信は、完了スロット（Ｌ３）に及んでよい。ＵＬの機会があるが、ＵＥは、ＡＮ送信のためにこの機会を使用すべきではない場合、このＤＬ送信長さは、Ｌ２（例えば、エラー！参照ソースなし．１（Ｅｒｒｏｒ！  Ｒｅｆｅｒｅｎｃｅ  ｓｏｕｒｃｅ  ｎｏｔ  ｆｏｕｎｄ．１）におけるＤＬ２の長さ）である。ＵＥがＡＮをレポートすべきであり、ＵＬの機会がこのスロット内にある場合、ＤＬ送信は、ＵＥにおけるデコーディングを可能にするためにＬ２およびＬ３より短くなければならない（Ｌ１）（例えば、エラー！参照ソースなし．１におけるＤＬ１の長さ）。したがって、いくつかの例において、Ｌ１＜Ｌ２＜Ｌ３である。
【００１６】
Ｌ３に比較してＬ２がどれだけ短いかを示す制御情報は、上記の制御情報とともに通信されてよく、またはＵＥは、例えば、無線リソース制御（ＲＲＣ：Ｒａｄｉｏ  Ｒｅｓｏｕｒｃｅ  Ｃｏｎｔｒｏｌ）シグナリング、媒体アクセス制御（ＭＡＣ：Ｍｅｄｉｕｍ  Ａｃｃｅｓｓ  Ｃｏｎｔｒｏｌ）制御エレメントなどを介して、別々のメッセージの中で通告されてよい。Ｌ１の値は、ＵＬ期間とともに基地局とＵＥとの間のネゴシエーション（すなわち、どの程度長くＵＥはデコードする必要があるか）によって到着してよい。一方、処理時間は規格の中で固定されてよく、Ｌ１はＵＬ期間に従う。
【００１７】
上述のように、いくつかの例において、制御情報は、いくつかの明示的なシグナリングと組み合わされてよい。この明示的なシグナリングは、これがスロットの終わりまで続く場合、ＤＬ送信の長さであるＬ３であってよい。いくつかの実施形態において、Ｌ３は、送信をスケジューリングするＤＣＩに含まれてよく、または送信期間は、（例えば、ＲＲＣシグナリングを介して）半静的に設定されてよい。Ｌ３は、（スロットの短い方のバージョンであるミニスロットとともに潜在的に）スロット数で表現されてよい。Ｌ１およびＬ２は次に、「このスロット内のＵＬの機会、はい／いいえ」および「このスロット内のＡＮをレポートする、はい／いいえ」とともにＬ３に基づいて計算されてよい。
【００１８】
図１のフレーム構造１２、および下記の他の図の実装形態において、デコードするＵＥに必要な処理時間の間に、別のＵＥは、他のリソースに対するＤＬ（ＤＬ２）におけるネットワークノードによる別の送信によってサーブされる。１つの態様では、ＤＬ２はいつ始まってもよく、スロットの始まりからの連続的なＤＬ送信を含むことができ、または１つもしくは複数の以前のスロットから継続されてもよい。図示のように、ＤＬ１は、処理／デコード時間Ｔｐｒｏｃの間に処理される送信である。１つの態様では、送信ＤＬ２は、デコードするＵＥからの「ＵＬ  ＡＮ」の受信がネットワークノード／基地局において実現できるように、十分早く停止しなければならない。二重通信能力のない基地局において、このことは、この基地局が「ＵＬ  ＡＮ」を受信する前に、ネットワークノードが、少なくともＤＬ−ＵＬガード時間ＴＤＬ→ＵＬ，ｅＮＢの送信を停止することを意味する。全二重通信能力のある基地局は、この基地局が受信する時間の間、送信を停止する必要はないであろう。図１のフレーム構造１２において、送信が１つまたは複数のＯＦＤＭシンボルでなければならず、もう１つのＯＦＤＭシンボルをＤＬ２に挿入することがふさわしくないであろうということがここで想定されるので、ガードは依然としてかなり大きい。ガード時間ＴＵＬ→ＤＬ，ｅＮＢは、（本明細書で「ｅＮＢ」または「基地局」とも呼ばれる）ネットワークノードにおけるＵＬ受信とＤＬ送信との間で必要な切替え時間であり、ＴＰＩＳは伝搬遅延を表す。
【００１９】
さらなる態様において、１つまたは複数の中間シンボルは、ダウンリンクシンボルの期間の半分より長い期間に及んでよく、スロットの他のシンボルの帯域幅より大きい帯域幅で送信されてよい。中間シンボルの間に通信した後、かつ、特定のＵＥによるＡＣＫ／ＮＡＣＫ信号を生成するためにダウンリンク信号を処理した後、ＵＥ１０２Ａは、スロットのその後のシンボルの間に、受信ダウンリンク信号に対するＡＣＫ／ＮＡＣＫフィードバック信号（または単に「フィードバック」）を送信することができる。下記の実施形態の例によって示されるように、これらの中間シンボルおよびその後のシンボルは、時間（および／または周波数）ドメインにおける期間および位置において様々な形式をとることができ、いくつかの例において、１つのシンボルまたは複数のシンボルに効果的に組み合わされることさえ可能である。
【００２０】
したがって、上述のように、本開示の実施形態および技法の態様は、信号送受信のためにスロット内で、１つまたは複数の斬新なシンボル構造、制御シグナリング、および／またはスケジューリング技法を選択し、利用することを含む。このことは、ネットワークノード１０６およびＵＥ１０２が（例えば、既存スロット構造に対する、１つまたは複数のさらに利用されるダウンリンクまたはアップリンクシンボルを追加することによって）所与のスロット内で通信されることが可能な通信ペイロードを最大化することを可能にする。
【００２１】
図３は、無線通信システム１０におけるネットワークノードとの通信のために、１つまたは複数のＵＥ１０２によって実施される方法３００の例を示す。方法３００の例によれば、ＵＥは、ブロック３０２において、ネットワークノードと通信しているＵＥまたは別のＵＥが、スロット内でＵＥまたは他のＵＥによって受信されたダウンリンク信号に対して、スロット内で確認応答（ＡＣＫ）または否定確認応答（ＮＡＣＫ）フィードバックを送信することになるということを、スロットに対応する制御情報に基づいて判断することができる。方法３００は、ブロック３０４において、ダウンリンク信号が完全に受信された後、かつ、ＡＣＫまたはＮＡＣＫフィードバックの送信が始まる前に、ネットワークノードに中間アップリンク信号を送信すること、またはネットワークノードから中間ダウンリンク信号を受信することを含むこともできる。
【００２２】
図３の方法３００の態様に対する追加または代替の態様も意図され、残る図に関して上記または下記の図１および図２を参照してさらに説明される。例えば、図２を参照して説明されたように、いくつかの事例において、制御情報は、ＵＥ１０２Ａもしくは他のＵＥ１０２Ｂがスロット内でＡＣＫもしくはＮＡＣＫフィードバックを送信することになるかどうか、および／またはアップリンク送信の機会がスロット内にあるかどうかについての指示を含むことができる。同様に、いくつかの例において、制御情報は、中間アップリンク信号の送信が始まることになる時間もしくはシンボル、および／または中間ダウンリンク信号の受信が終わることになる時間もしくはシンボルを示す情報を含むことができる。
【００２３】
いくつかの例において、中間ダウンリンク信号を受信することは、連続的なダウンリンク信号の一部を受信することを含むことができ、ダウンリンク信号が完全に受信される前に連続的なダウンリンク信号の受信が始まる。同様に、いくつかの事例において、スロット内でＵＥ１０２Ａによって、および他のＵＥ１０２Ｂによって受信された様々なダウンリンク信号は、長さに差がある。さらに、ダウンリンク信号が完全に受信された後、かつ、ＡＣＫまたはＮＡＣＫフィードバックの送信が始まる前の時間期間は、ＵＥまたは他のＵＥにおいてＡＣＫまたはＮＡＣＫフィードバックを生成するための処理時間に対応することができるか、この処理時間を含むことができる。上述のように、制御情報は、方法３００において、専用の制御シグナリングを介して、または既存の制御シグナリング上に便乗した追加情報を介してネットワークノード１０６から受信されてよい。
【００２４】
図４は、スロットの間にＵＥおよび別のＵＥと通信するために、ネットワークノードによって実施される方法４００の例を示す。例えば、方法４００は、ブロック４０２において、スロットに対応する制御情報を生成することを含むことができ、制御情報は、ＵＥまたは他のＵＥが、スロット内でＵＥまたは他のＵＥによって受信されたダウンリンク信号に対して、スロット内で確認応答（ＡＣＫ）または否定確認応答（ＮＡＣＫ）フィードバックを送信することになるということを示す。方法４００は、ブロック４０４において、ＵＥおよび他のＵＥに制御情報を送信することと、ブロック４０６において、ダウンリンク信号が完全に受信された後、かつ、ＡＣＫまたはＮＡＣＫフィードバックの送信が始まる前に、スロットの間に、ＵＥおよび／もしくは他のＵＥに中間ダウンリンク信号を送信すること、またはＵＥもしくは他のＵＥから中間アップリンク信号を受信することとを含むこともできる。
【００２５】
図４の方法４００の態様に対する追加または代替の態様も意図され、上記および／または下記でさらに説明される。例えば、図２を参照して説明されたように、いくつかの事例において、制御情報は、ＵＥ１０２Ａもしくは他のＵＥ１０２Ｂがスロット内でＡＣＫもしくはＮＡＣＫフィードバックを送信することになるかどうか、および／またはアップリンク送信の機会がスロット内にあるかどうかについての指示を含むことができる。同様に、いくつかの例において、制御情報は、中間アップリンク信号の送信が始まることになる時間もしくはシンボル、および／または中間ダウンリンク信号の受信が終わることになる時間もしくはシンボルを示す情報を含むことができる。
【００２６】
いくつかの例において、中間ダウンリンク信号を送信することは、連続的なダウンリンク信号の一部を送信することを含むことができ、ＵＥ１０２Ａによってダウンリンク信号が完全に受信される前に連続的なダウンリンク信号の送信が始まる。同様に、いくつかの事例において、スロット内でＵＥ１０２Ａによって、および他のＵＥ１０２Ｂによって受信された様々なダウンリンク信号は、長さに差がある。さらに、ダウンリンク信号が完全に受信された後、かつ、ＡＣＫまたはＮＡＣＫフィードバックの送信が始まる前の時間期間は、ＵＥまたは他のＵＥにおいてＡＣＫまたはＮＡＣＫフィードバックを生成するための処理時間に対応することができるか、この処理時間を含むことができる。上述のように、制御情報は、方法４００において、専用の制御シグナリングを介して、または既存の制御シグナリング上に便乗した追加情報を介してネットワークノード１０６によって送信されてよい。
【００２７】
図５は、本開示の改良されたスロット構造の実施形態の別の例を示す。実施形態のこの例において、１つの特定のＵＥ１０２は、ＵＥがＤＬ１を受信した後に、別のＤＬ送信（ＤＬ２）を受信する。ＤＬ１に対するＡＣＫ／ＮＡＣＫフィードバックは、ＤＬ２が完了したときと、ＡＣＫ／ＮＡＣＫが送信されるときとの間の中間シンボルの後に発生する、ＵＬ送信「ＵＬ  ＡＮ」に含まれている。いくつかの例において、ＤＬ１およびＤＬ２は、周波数ドメイン内に異なる帯域幅および位置を有することができる。本開示の１つの態様において、ネットワークノード（「ｅＮＢ」）による送信ＤＬ２は、信号受信と信号送信との間（または逆もまた同様）で切替えるための、ネットワークノードのハードウェアおよび関連処理に必要な時間のため、ネットワークノードにおいて「ＵＬ  ＡＮ」の受信が実現できるように、十分早く停止しなければならない。
【００２８】
図６は、スロット構造の実施形態の別の例を示し、ダウンリンク信号ＤＬ２は、特定のＵＥ１０２によるＡＣＫ／ＮＡＣＫフィードバック信号の送信前（および処理／生成中）の中間シンボルまたはシンボルの間に、ＵＥ１０２Ａまたは別のＵＥ１０２Ｂのうちの１つにネットワークノードによって送信される。したがって、図６において、ＤＬ送信ＤＬ２は、別のＤＬ送信ＤＬ１が停止した後の、空いている周波数リソースを使用する。同様に、図６に示される例において、送信ＤＬ２は、示されたスロットの始めにスタートする。しかし、これは限定的な態様ではない。むしろ、ＤＬ信号送信ＤＬ２は、ＤＬ１が完全に受信されたときを含む、後でスタートしてよい。また一方では、実施形態のいくつかの例において、ＤＬ送信ＤＬ２は、デコードするＵＥからの「ＵＬ  ＡＮ」の受信がネットワークノード（ｅＮＢ）において実現できるように、十分早く停止する。
【００２９】
図７は、実施形態のさらなる例を示し、上述の他の実施形態とは異なり、ＵＥ１０２は、中間シンボルの中で、および／または別のＵＥのＡＣＫ／ＮＡＣＫフィードバック送信に並行して、しかし様々な周波数リソースで、アップリンク信号をネットワークノードに送信する。これらのアップリンク送信を可能にするために、ＤＬ送信は、（例えば、図７に示すように同時に）以前の例より早く停止することができ、このことは、ＵＥが、ＤＬ送信を受信する代わりにＵＬにおいて送信できるようにする。これらのＵＬ送信は、（図７のＵＬ１、または図１のＵＥ１０２Ａにおけるような）ＡＣＫ／ＮＡＣＫフィードバックを送信することになる同じＵＥからのもの、および／または（図７のＵＬ２、もしくは図１のＵＥ１０２Ｂにおけるような）別のＵＥからのものであってよい。さらなる態様において、図７に示されていないが、（ＵＬ１の後に「ＵＬ  ＡＮ」を送信する同じ端末から送信される）ＵＬ１送信は、ＤＬ１のデコード結果に依存しないので、ＵＬ１の主要な送信において、「ＵＬ  ＡＮ」送信と同時に継続することができる。それに対応して、いくつかの実施形態において、ネットワークノード／ｅＮＢにおけるＵＬ信号受信を可能にするために、十分長い時間ギャップＴＤＬ→ＵＬ，ｅＮＢが必要とされることがある。
【００３０】
要約すると、ＵＥは、ネットワークからの受信ダウンリンク信号に関するＡＣＫ／ＮＡＣＫフィードバックを処理するために最低限の時間を必要とする。本明細書で説明される技法は、このＡＣＫ／ＮＡＣＫ処理時間中での、さらなるアップリンクおよび／またはダウンリンク送信のために、この最低限の時間を利用し、それによって、従来技術の解決策において提示された解決策より大きい度合いまでシステムリソースを利用する。本開示のネットワークノード１０６は、特定のスロット内でＡＣＫ／ＮＡＣＫフィードバックが送信されることになるかどうかを、ＵＥ１０２が判断できるかどうかをＵＥ１０２が判断できる（上記で図２に対して説明されたものなどの）制御情報を送信することができる。スロット内で様々なリソース上で様々なＵＥ１０２に送られた様々なＤＬ送信は、（時間、およびしたがってシンボル長さの観点から）様々な信号長さを有することができるので、制御情報は、スロット内で行われることになる任意のアップリンクまたはダウンリンク送信のタイミングを暗黙的にまたは明示的に、さらに示すことができる。したがって、この延長された送信期間は、より長いシンボル、より多くのシンボル、および／またはより長いサイクリックプレフィックスのために使用されてよく、したがって、ＡＣＫ／ＮＡＣＫフィードバック信号の処理／生成が完了するのを待つ間、利用可能なリソースが利用されなくなる度合いを最小化することができる。
【００３１】
図９Ａは、１つまたは複数の実施形態に従って実装されたＵＥ１０２を示す。図示のように、ＵＥ１０２は、処理回路機器９００および通信回路機器９１０を含む。通信回路機器９１０は、任意の通信技術によって、１つまたは複数のネットワークノード１０６との間で情報を送受信するように設定される。このような通信は、ＵＥ１０２の内部または外部にある１つまたは複数のアンテナを介して発生することができる。処理回路機器９００は、メモリ９２０に格納された命令を実行することなどによって、上述の処理を行うように設定される。処理回路機器９００は、これに関連して、一定の機能的な手段、ユニット、またはモジュールを実装することができる。
【００３２】
図９Ｂは、１つまたは複数の他の実施形態に従って実装されたＵＥ１０２を示す。図示のように、ＵＥ１０２は、例えば、図９Ａの処理回路機器９００によって、および／またはソフトウェアコードによって、様々な機能的な手段、ユニット、またはモジュールを実装する。例えば、図３の方法３００、ならびに少なくとも図１および／または図５〜図８のフレーム構造を実装するための、これらの機能的な手段、ユニット、またはモジュールは、例えば、ネットワークノードと通信しているＵＥまたは別のＵＥが、スロット内でＵＥまたは他のＵＥによって受信されたダウンリンク信号に対して、スロット内で確認応答（ＡＣＫ）または否定確認応答（ＮＡＣＫ）フィードバックを送信することになるということを、スロットに対応する制御情報に基づいて判断するための判断ユニットまたはモジュール９３０を含む。ダウンリンク信号が完全に受信された後、かつ、ＡＣＫまたはＮＡＣＫフィードバックの送信が始まる前に、ネットワークノードに中間アップリンク信号を送信するため、またはネットワークノードから中間ダウンリンク信号を受信するための送信ユニットまたはモジュール９４０も含まれる。さらに、図９Ｂは、ＵＥ１０２によって実施される可能性がある、本明細書で説明される態様の全ての例のためのユニット／モジュールを明示的には含んでいないが、ＵＥ１０２は、これらの可能性のある態様を行うように設定された追加のユニット／モジュールを含むことができる。
【００３３】
図１０Ａは、１つまたは複数の実施形態に従って実装された、基地局、ｅＮＢ、または他のネットワーク側デバイスなどのネットワークノード１０６を示す。図示のように、ネットワークノード１０６は、処理回路機器１０００および通信回路機器１０１０を含む。通信回路機器１０１０は、例えば、任意の通信技術によって、１つもしくは複数のＵＥ１０２、および／または１つもしくは複数の他のノードとの間で情報を送受信するように設定される。このような通信は、ネットワークノード１０６の内部または外部にある１つまたは複数のアンテナを介して発生することができる。処理回路機器１０００は、メモリ１０２０に格納された命令を実行することなどによって、例えば、図３における上述の処理を行うように設定される。処理回路機器１０００は、これに関連して、一定の機能的な手段、ユニット、またはモジュールを実装することができる。
【００３４】
図１０Ｂは、１つまたは複数の他の実施形態に従って実装されたネットワークノード１０６を示す。図示のように、ネットワークノード１０６は、例えば、図１０Ａの処理回路機器１０００によって、および／またはソフトウェアコードによって、様々な機能的な手段、ユニット、またはモジュールを実装する。例えば、これらの機能的な手段、ユニット、またはモジュールは、例えば、スロットに対応する制御情報を生成するための生成ユニットまたはモジュール１０３０を含み、制御情報は、ＵＥまたは他のＵＥが、スロット内でＵＥまたは他のＵＥによって受信されたダウンリンク信号に対して、スロット内で確認応答（ＡＣＫ）または否定確認応答（ＮＡＣＫ）フィードバックを送信することになるということを示す。ダウンリンク信号が完全に受信された後、かつ、ＡＣＫまたはＮＡＣＫフィードバックの送信が始まる前に、ＵＥおよび他のＵＥに制御情報を送信するため、ならびにスロットの間に、ＵＥおよび／もしくは他のＵＥに中間ダウンリンク信号を送信するため、またはＵＥもしくは他のＵＥから中間アップリンク信号を受信するための、送信ユニットまたはモジュール１０４０も含まれる。さらに、図１０Ｂは、ネットワークノード１０６によって実施される可能性がある、本明細書で説明される態様の全ての例のためのユニット／モジュールを明示的には含んでいないが、ネットワークノード１０６は、これらの可能性のある態様を行うように設定される追加のユニット／モジュールを含むことができる。
【００３５】
本明細書の実施形態は、対応するコンピュータプログラムをさらに含むということも当業者は正しく認識するであろう。コンピュータプログラムは、ノードの少なくとも１つのプロセッサ上で実行されると、上述の個々の処理のいずれかをノードに行わせる命令を備える。コンピュータプログラムは、これに関連して、上述の手段またはユニットに対応する１つまたは複数のコードモジュールを備えることができる。実施形態は、このようなコンピュータプログラムを含んでいる担体をさらに含む。この担体は、電子信号、光信号、無線信号、またはコンピュータ可読ストレージ媒体のうちの１つを含むことができる。これに関連して、本明細書の実施形態は、非一時的コンピュータ可読（ストレージまたは記録）媒体に格納され、ネットワークノードまたはＵＥのプロセッサによって実行されると、上述のようにノードまたはＵＥに行わせる命令を備えるコンピュータプログラム製品も含む。実施形態は、コンピュータプログラム製品がコンピューティングデバイスによって実行されると、本明細書の実施形態のいずれかのステップを行うためのプログラムコード部分を備えるコンピュータプログラム製品をさらに含む。このコンピュータプログラム製品は、コンピュータ可読記録媒体に格納されてよい。
【００３６】
さらに、ネットワークノード１０６の処理または機能は、１つのインスタンスまたはデバイスによって行われるものとみなされてよく、またはデバイスのインスタンスがともに全ての開示の機能を行うように、所与のネットワーク／環境の中で提示され得るネットワークノード１０６の複数のインスタンスを横断して分割されてもよい。さらに、ネットワークノード１０６は、一般に、所与の開示の処理またはその機能を行うことが知られている、無線通信ネットワークと関連付けられたデバイス、無線通信ネットワーク、またはコンテンツ配信ネットワークの任意の既知のタイプであってよい。このようなネットワークノードの例は、ｅＮＢ（または基地局もしくはアクセスポイントの他のタイプ）、移動管理エンティティ（ＭＭＥ：Ｍｏｂｉｌｉｔｙ  Ｍａｎａｇｅｍｅｎｔ  Ｅｎｔｉｔｙ）、ゲートウェイ、サーバ、および同様のものを含む。
【００３７】
上述のいずれかのシナリオにおいて、本明細書のＵＥ１０２は、無線通信ネットワークと無線で通信できる任意の無線通信デバイスであってよく、またはこれらのデバイスを備えてよく、いくつかの例において、携帯電話、ＰＤＡ、タブレット、コンピュータ（モバイルもしくはそうでないもの）ラップトップ、または同様のものなどのモバイルデバイスを含むことができる。さらに、ＵＥ１０２は、例えば、監視または測定を行い、このような監視測定の結果を別のデバイスまたはネットワークに送信するデバイスといった、モノのインターネットデバイスを備えることができる。このような機械の具体的な例は、電力メータ、産業用機械設備、または例えば、冷蔵庫、テレビ、腕時計などの個人的なウェアラブルなどといった家庭用品もしくは個人用品である。他のシナリオにおいて、本明細書で説明されるような無線通信デバイスは車両の中に備えることができ、車両の動作状態または車両と関連付けられた他の機能の監視および／またはレポートを行うことができる。
【００３８】
さらに、本明細書で説明される実施形態の多くは、スロット内で発生するものとして説明される。用語スロットは、サブフレームの半分（例えば、タイプ１  ＬＴＥフレーム構造）に等しい既知の時間単位に対応することができるが、このことは限定的な態様ではない。例えば、本明細書の用語「スロット」は、いくつかの例において、複数のスロットを「またぐ」ことができる（すなわち、複数のＬＴＥフレーム構造スロットの部分を含むことができる）「アグリゲートスロット」を含むこともでき、および／またはＬＴＥフレーム構造スロットに対応する時間を有することができる。いくつかの例において、スロットは、時間内の位置または時間の長さの観点からＬＴＥフレーム構造スロットに対応することができない。例えば、「スロット」は、ＬＴＥフレーム構造内のサブフレーム長さ、またはＵＥおよびネットワークノードによって利用される（および／もしくは「同意される」）ことが可能な他の任意の時間長さに対応することができる。
【００３９】
本発明は当然、本発明の本質的な特徴から逸脱することなく、本明細書で具体的に示された方式以外の方式で行われてよい。本実施形態は、全ての点で、例証的なものとして、また制限的ではないものとしてみなされるべきであり、添付の特許請求の範囲の意味および等価範囲に由来する全ての変更は、特許請求の範囲に包含されることを意図するものである。
【図１】
0006968161.tif 000002
【図２】
0006968161.tif 000003
【図３】
0006968161.tif 000004
【図４】
0006968161.tif 000005
【図５】
0006968161.tif 000006
【図６】
0006968161.tif 000007
【図７】
0006968161.tif 000008
【図８】
0006968161.tif 000009
【図９Ａ】
0006968161.tif 000010
【図９Ｂ】
0006968161.tif 000011
【図１０Ａ】
0006968161.tif 000012
【図１０Ｂ】
0006968161.tif 000013